(57)【要約】【課題】通帳１０の綴じ目の緩み等により中紙が内側にずれ、通帳先端から頁マークのまでの距離が長くなって、頁マーク２０が後方にずれた場合でも、頁マーク２０を正常に読み取れるようにする。【解決手段】通帳先端２２を黒から白への変化点として検出し通帳先端２２から所定の位置に印刷した通帳１０の頁を表わす頁マーク２０を読み取るラインセンサ８と、通帳１０に未記帳データを印字する印字ヘッド９ａと、当該頁マーク２０を読み取って頁を解析し当該頁が記帳印字する頁であったときは前記印字ヘッド９ａにて記帳印字する制御部２を備えた通帳記帳機であって、前記制御部２は、当該頁の最終行まで印字を完了するとき若しくは完了したときは、前記印字ヘッド９ａにより当該頁の通帳先端２２に塗潰し部２１を設けるようにした。【選択図】図１
2011148153.tif 000002
【特許請求の範囲】
【請求項１】
通帳先端を黒から白への変化点として検出し通帳先端から所定の位置に印刷した通帳の頁を表わす頁マークおよび印字行を読み取る頁行読取手段と、通帳に未記帳データを印字する印字手段と、当該頁マークを読み取って頁を解析し当該頁が記帳印字する頁であったときは前記印字手段にて記帳印字する制御手段を備えた通帳記帳機であって、
前記制御手段は、当該頁の最終行まで印字を完了するとき若しくは完了したときは、前記印字手段により当該頁の通帳先端に塗潰し部を設けるようにしたことを特徴とする通帳記帳機。
【請求項２】
前記頁マークは、横バーコードまたは縦バーコードであることを特徴とする請求項１記載の通帳記帳機。
【請求項３】
前記頁マークは、縦バーコードであって、
前記制御手段は、塗潰し部が設けられていないものとして頁マークを読み取るとともに塗潰し部が設けられているものとして頁マークを読み取り、いずれか正常に読み取れた方を当該頁とするようにしたことを特徴とする請求項１記載の通帳記帳機。
【請求項４】
前記制御手段は、最終行まで印字を完了するとき若しくは完了した印字終了頁に前記印字手段により前記塗潰し部とともに印字終了マークを印字し、前記頁行読取手段により前記印字終了マークを読み取って当該印字終了マークの有無に基づいて前記頁マークを読み取るようにしたことを特徴とする請求項１記載の通帳記帳機。
【請求項５】
通帳先端を黒から白への変化点として検出し通帳先端から所定の位置に印刷した通帳の頁を表わす頁マークを読み取る頁行読取手段と、通帳に未記帳データを印字する印字手段と、当該頁マークを読み取って頁を解析し当該頁が印字最終頁であったときは前記印字手段にて記帳印字する制御手段を備えた通帳記帳機に用いる通帳であって、
前記通帳は、すべての頁の通帳先端に塗潰し部を設けたことを特徴とする通帳。
【発明の詳細な説明】
【技術分野】
【０００１】
本発明は、金融機関等で使用される通帳の頁マークを読み取って記帳する通帳記帳機およびそれに用いる通帳に関する。
【背景技術】
【０００２】
金融機関で使用される通帳には頁を識別するための頁マークが印刷されているが、この頁マークとして、複数本のバーを通帳の搬送方向に直交して並べることにより構成される横バーコード形式のものや、通帳の搬送方向と平行に並べることにより構成される縦バーコード形式のものがある。
【０００３】
このような頁マークを有する通帳に取引内容等を印字する通帳記帳機はラインセンサ等の光学センサを備えており、このセンサにより通帳の開かれている頁マークを読取ってその頁マーク値を解析することにより何頁目が開かれているかを認識するようになっている。
【０００４】
図１１は、この種の通帳記帳機の内部構造例を示す要部側面図で、同図において、３は通帳１０を挿入する挿入口であり、この挿入口３から奥に向って直線状に搬送路１１が設けられている。
【０００５】
４は通帳１０を挟持して搬送するために搬送路１１に沿って配置された複数のローラを回転駆動する搬送モータ、５は通帳１０の磁気ストライプに記録された情報を読取る磁気ヘッド６を有するＭＳリードライト部、７は通帳１０に印刷された頁マーク及び印字済みの行を光学的に読取るラインセンサ８を有する頁行読取手段としての頁行リード部で、ＭＳリードライト部５は頁行リード部７よりも手前側の挿入口３に近い位置に設けられており、頁行リード部７の奥側には通帳１０に印字手段としての印字ヘッド９ａにより印字を行う印字部９が設けられており、これに対向した位置にプラテン９ｂが配置されている。
【０００６】
４２は搬送モータ４、ＭＳリードライト部５、頁行リード部７などの通帳記帳機全体の動作を制御する制御手段としての制御部で、後述する白黒判定バッファ１５ｂとして白黒判定結果を記憶したり頁マークの解析結果などを記憶する記憶部１５を有している。この制御部４２は、通帳記帳機１が組み込まれている自動取引装置等の上位装置に設けられた上位制御部１００に接続されている。以上の構成により、従来の通帳記帳機の頁マーク及び印字済み行の読取りは以下の手順で行われる。
【０００７】
まず、顧客が図示しない上位装置の表示部に表示された取引選択画面で通帳記帳を選択すると、上位制御部１００から制御部４２に通帳挿入の指示が出され、通帳記帳機１は通帳挿入待ちとなる。
【０００８】
顧客が印字した最終行の頁を開いて通帳１０を挿入口３に挿入すると、制御部４２は搬送モータ４を駆動して搬送ローラを回転させ、通帳１０を装置内に取込んで、磁気ストライプリード位置まで搬送する。
【０００９】
次に、上位制御部１００から磁気ストライプの読取り指示が制御部４２に送られると、ＭＳリードライト部５が磁気ストライプの読取り動作を行って、磁気ヘッド６により通帳１０の磁気ストライプに記録された情報を読取り、その読取った情報を制御部４２が上位制御部１００に送信する。この磁気ストライプに記録された情報には顧客の口座に関する情報の他、当該通帳１０による前回の印字終了頁および印字最終頁における印字済み行の情報が含まれる。
【００１０】
次に、上位制御部１００から頁及び行の読取り指示が制御部４２に送られると、制御部４２は搬送モータ４を再び駆動してローラを回転させ、通帳１０をその先端が頁行リード開始位置に達するまで搬送する。
【００１１】
この頁行リード開始位置は、通帳１０の先端が頁行リード部７のラインセンサ８による読取り位置よりも手前側の挿入口３側になる位置であり、図示しない光学センサ等により通帳先端のおよその位置を検出して到達したことを検出する。そして、通帳１０の先端が上記読取り開始位置に達したことを検出すると、制御部４２は、媒体搬送モータの駆動パルスに同期してラインセンサ８による読取りを行い、ラインセンサ８から順次出力される出力波形により通帳１０の先端検知と頁マークの検知及び印字済み行の検知を行う。
【００１２】
図１２はこのときの通帳１０の先端検知と頁マーク検知の状態を示す説明図である。なお、ここでは、複数本のバーを通帳の搬送方向に直交して並べることにより構成される横バーコードを例として説明するが、通帳の搬送方向に平行に並べることにより構成される縦バーコード形式のものもある。
【００１３】
同図に示したように通帳１０の先端がラインセンサ８の読取り位置まで搬送されると、それまで通帳がなく反射光がない状態であった図１２（ａ）、（ｂ）の状態から、開かれている頁の地色（白もしくはそれに近い色）がラインセンサ８に読み取られるため、ラインセンサ８の出力波形が図１２（ｃ）のように予め設定されている通帳先端検知用のスライスレベルよりも大きくなる（白側になる）ので、これにより通帳１０の先端を検知することができる。
【００１４】
通帳１０の先端を検知してからそれ以降は、図１２（ｄ）〜（ｇ）のようにラインセンサ８の出力波形が頁マークのバー検知用スライスレベルより小さければ黒（値「１」）、大きければ白（値「０」）として制御部４２が判定したデータを制御部４２に設けられた白黒判定バッファ１５ｂに保存して、通帳１０の後端までラインセンサ８による読取りを行う。本例では、図１２（ｄ）〜（ｇ）により、白黒判定バッファ１５ｂには、「０」、「１」、「１」、「０」、・・・が格納される例となっている。
【００１５】
そして、白黒判定バッファ１５ｂのデータを基に頁マークを解析し、印字済み最終行についても同様に白黒判定バッファ１５ｂのデータを基に解析し、その解析結果を上位制御部１００に送信する。
【００１６】
上位制御部１００では、制御部４２からの頁行解析結果に基づいて通帳１０の開かれている頁を認識し、その頁と前記磁気ストライプの情報に含まれている今回の印字開始頁を照合し、一致しているか否か、すなわち正しい頁が開かれているか否かをチェックし、正しい頁が開かれている場合は印字処理に移行するよう制御部４２に指示する。
【００１７】
一方、正しい頁が開かれていない場合は通帳１０を挿入口３に戻すように制御部４２に指示する共に、正しい頁を開いて再挿入するように顧客に促すメッセージを図示しない上位装置の表示部に表示する。
【００１８】
以上のように通帳記帳機では頁マークを光学的に読取り、正しい頁が開かれているか否かを判定し、正しい頁が開かれているときに取引内容等の記帳データを印字するようになっている（例えば、特許文献１参照）。
【００１９】
ところで、上述した従来の通帳記帳機において頁マークの解析は以下のように行われる。図１３は複数本のバーからなるバーコード形式の頁マークの一般的な仕様の例を示す図で、ここではｂ０〜ｂ３で示した同一長さの４本の横方向、すなわち通帳の搬送方向に対して直行する方向に延びるバーから成る頁マークを示しており、この４本のバーは互いに平行になるように印刷されていて、ｂ３バーが先端側、ｂ０バーは後端側としている。
【００２０】
図１３に示すように、ｂ０バー〜ｂ３バーは、それぞれ、太さＬ１が０．５ｍｍで、誤差は＋０．１ｍｍ、−０．０ｍｍであり、バー間隔Ｌ２は３．０ｍｍで、その誤差は±０．１ｍｍである。また、通帳１０の先端から後端側のｂ０バーの中心までの寸法Ｌ３は１２．８８ｍｍで、許容誤差は±０．７ｍｍとなっている。これらのｂ０バー〜ｂ３バーが正規の位置に印刷されているものとして、ラインセンサ８の読取り結果から各バーの位置を検索するため、ｂ０バー〜ｂ３バーに対するデフォルト検索エリアが設定されている。
【００２１】
図１４は、図１３の頁マークにより表される通帳の頁を示す図で、０１頁から０Ｆ頁（１５頁）までの頁をバーの本数と位置によるパターンよって表した例を示している。例えば、「０１頁」を示す頁マークはｂ０バー１本で表され、「０７頁」を示す頁マークはｂ０、ｂ１、ｂ２の３本のバー、「０Ｆ頁」を示す頁マークはｂ０〜ｂ３の４本のバーで表されているが、「０２頁」や「０６頁」等のように位置基準となる後端のｂ０バーのない頁マークも含まれている。
【００２２】
このようなパターンによる頁マークを読取って開かれた頁を検出する場合、後端のｂ０バーから順に各検索エリア内にバーが存在するか否か、すなわち、白黒判定バッファ１５ｂに格納されている白黒判定結果として黒が２ライン以上連続している部分があるか否かを調べることで検出することができる。
【００２３】
しかしながら、通帳１０の頁マークは通帳の搬送方向の前方または後方にずれていることがあるが、この頁マークのずれの要因は、頁マークの印刷位置のずれという通帳製造上の問題以外に、通帳先端部の汚れによる先端検知位置の遅れや、通帳１０の綴じ目の緩み等による中紙のずれによるもの等がある。また、これ以外にも、通帳挿入時に開かれた頁の紙面が盛り上がった状態で、挿入されてしまうケースもある。
【００２４】
図１５は、通帳先端部の汚れによる先端検知位置の遅れを示す説明図で、通帳１０の先端部が汚れで黒くなっている場合、この汚れによりラインセンサ８による通帳先端の検知タイミングが遅れるため、実際の通帳先端に対してラインセンサ８が検知する通帳先端がずれてしまい、その結果通帳先端から頁マークのバーまでの距離が短く見えてしまい、頁マークが前方にずれた形となる。
【００２５】
図１６は、通帳の綴じ目が緩むことによる頁マークのずれを示す説明図で、図１６（ａ）に示した綴じ目が正常な通帳１０に対して、図１６（ｂ）に示した綴じ目が緩んでしまった通帳１０の場合、中紙が前方にずれるとそれに伴って頁マークも通帳の先端側に移動するため、通帳先端から頁マークのバーまでの距離が短くなって、頁マークが前方にずれた形となる。
【００２６】
このように通帳先端から頁マークのバーまでの距離が短くなって、頁マークが前方にずれても、正しく頁マークを読み取るための技術として、前記複数本のバーの各々を検索する領域を設定して、後端側のバーの検索領域から検索を行ってバー毎に検出されたか否かを示すバー本数分のビットデータを記憶部に記憶し、後端のバーが検出されなかった場合、先頭のバーの検索領域より前方側に１本分のバーの検索領域を設定してその領域の検索を行い、この検索によりバーが検出された場合は、そのバーのビットデータを前記ビットデータに最上位のビットとして加えてから１ビット下位側ずらした値を頁マークの検出結果とする技術があった（例えば、特許文献２参照）。
【００２７】
このようにすることにより、先頭のバーがある頁マークがバー間隔の半分以上前方向にずれた場合でも、その頁マークを正確に検出することができることになり、頁マークの検出性能を向上させることができる。
【先行技術文献】
【特許文献】
【００２８】
【特許文献１】特開平１１−０４８５６０号公報
【特許文献２】特開２００８−２９０３６１号公報
【発明の概要】
【発明が解決しようとする課題】
【００２９】
しかしながら、図１７に示したように、通帳１０の綴じ目の緩み等により中紙がさらに内側にずれ、通帳先端から頁マークのバーまでの距離が長くなって、頁マークが後方にずれた形となった場合は、前記従来の通帳記帳機によっても、頁マーク検出位置を補正しきれず頁マークを正しく検出することができないという問題があった。
【課題を解決するための手段】
【００３０】
本発明は、前述の課題を解決するため次の構成を採用する。すなわち、通帳先端を黒から白への変化点として検出し通帳先端から所定の位置に印刷した通帳の頁を表わす頁マークおよび印字行を読み取る頁行読取手段と、通帳に未記帳データを印字する印字手段と、当該頁マークを読み取って頁を解析し当該頁が記帳印字する頁であったときは前記印字手段にて記帳印字する制御手段を備えた通帳記帳機であって、前記制御手段は、当該頁の最終行まで印字を完了するとき若しくは完了したときは、前記印字手段により当該頁の通帳先端に塗潰し部を設けるようにした。
【発明の効果】
【００３１】
本発明の通帳記帳機によれば、通帳先端を黒から白への変化点として検出し通帳先端から所定の位置に印刷した通帳の頁を表わす頁マークおよび印字行を読み取る頁行読取手段と、通帳に未記帳データを印字する印字手段と、当該頁マークを読み取って頁を解析し当該頁が記帳印字する頁であったときは前記印字手段にて記帳印字する制御手段を備えた通帳記帳機であって、前記制御手段は、当該頁の最終行まで印字を完了するとき若しくは完了したときは、前記印字手段により当該頁の通帳先端に塗潰し部を設けるようにしたので、挿入頁の中紙が内側にずれた場合でも、挿入頁の先端位置を確実に検出することができ、頁マークを正しく読み取ることができる。
【図面の簡単な説明】
【００３２】
【図１】実施例１の通帳記帳機の構成図である。
【図２】実施例１の通帳記帳機の通帳の構成図である。
【図３】実施例１の通帳記帳機の通帳の構成図である。
【図４】実施例１の通帳記帳機の動作説明図である。
【図５】実施例１の通帳記帳機の動作説明図である。
【図６】実施例１の通帳記帳機の動作説明図である。
【図７】実施例２の通帳記帳機の動作説明図である。
【図８】実施例２の通帳記帳機の動作説明図である。
【図９】実施例３の通帳記帳機の構成図である。
【図１０】実施例４の通帳記帳機の構成図である。
【図１１】従来の通帳記帳機の構成図である。
【図１２】従来の通帳の頁マークの読取動作の説明図である。
【図１３】従来の通帳の頁マークの構成図である。
【図１４】従来の通帳の頁マークの説明図である。
【図１５】従来の通帳記帳機の動作説明図である。
【図１６】従来の通帳記帳機の動作説明図である。
【図１７】従来の通帳記帳機の動作説明図である。
【発明を実施するための形態】
【００３３】
以下、本発明に係わる実施の形態例を、図面を用いて説明する。図面に共通する要素には同一の符号を付す。
【実施例１】
【００３４】
（構成）
図１は、実施例１の通帳記帳機の内部構造例を示す要部側面図で、図１１にて説明した従来の通帳記帳機とほぼ同様であるが、制御手段としての制御部２を、未記帳明細を当該頁の最終行まで印字が完了したときは、当該印字終了頁の通帳先端を黒く塗りつぶして印字し塗潰し部２１を設ける機能を追加した構成としている。
【００３５】
（動作）
以上の構成により実施例１の通帳記帳機は以下のように動作する。この動作を図２ないし図６を用いて以下詳細に説明する。
【００３６】
まず、上位制御部１００から頁及び行の読取り指示が制御部２に送られると、制御部２は搬送モータ４を再び駆動してローラを回転させ、通帳１０を通帳先端２２が頁行リード開始位置に達するまで搬送する。
【００３７】
通帳先端２２が頁行読取手段としてのラインセンサ８の読取り位置まで搬送されると、開かれている頁の地色（白もしくはそれに近い色）がラインセンサ８に読み取られるため、ラインセンサ８の出力波形が予め設定されている通帳先端検知用のスライスレベルよりも大きくなる（白側になる）ので、これにより通帳先端２２を検知することができる。
【００３８】
通帳先端２２の検出後は、この位置を基準に、所定の位置に印刷されている頁マークの値や、所定の位置に印字されている最終印字済み行が何行目であるかの解析を制御部２にて行い、挿入頁が正しい場合は解析された最終印字済み行の次の行より未記帳データの明細印字を行う。
【００３９】
実施例１の通帳記帳機では、図２に示す通帳頁が挿入され、図３に示すように印字が最終行まで到達し、これ以上、印字ができなくなった場合、当該頁の通帳先端２２に印字手段としての印字ヘッド９ａにより黒ベタ印字を行って塗潰し部２１を設けた後、磁気ストライプのデータ更新などの処理を行い、顧客へ通帳１０を返却する。
【００４０】
なお、塗潰し部２１は、通帳全幅に亘って設ける必要はなく、ラインセンサ８の読み取り範囲のみとしてもよい。また、あらかじめ当該頁がすべて印字されると判明したときは、最初に通帳先端２２に黒ベタ印字を行って塗潰し部２１を設けた後に、未記帳データを印字するようにしてもよい。
【００４１】
そして、未記帳データがまだ残っている場合は、「次の頁を開き、通帳を挿入願います。」などのメッセージを操作画面に表示する。このとき、装置内に自動改頁機構を備えている場合は、通帳先端２２に黒ベタ印字を行って塗潰し部２１を設けた後に顧客へ通帳を返却することなく、装置内で改頁を行い、次頁以降に未記帳データの残りを印字して顧客に通帳を返却する。
【００４２】
例えば、図４の例では、前の頁に通帳先端２２に黒ベタ印字を行って塗潰し部２１を設けた後に、図示した頁の一部に印字が行われ、顧客に通帳１０が返却される。そして、次の通帳記帳の際に、図４の印字最終頁を見開いて挿入される。
【００４３】
そして、図４のように、挿入頁の中紙がずれていない場合は、通帳先端２２が正しく検出でき、前述の頁マーク読取り処理により、頁マークを読み取ることができる。
【００４４】
また、図５およびその拡大図である図６に示すように、挿入頁の中紙が後方（内側）にずれている場合でも、前頁およびそれ以前の頁はすべて最終行まで印字が完了し通帳先端２２を黒く塗りつぶして塗潰し部２１が設けられているので、ラインセンサ８による読み取り結果が黒から白へ変化する位置は、通帳先端２２ではなく、挿入頁先端２３の位置となり、基準位置が正しくなり、頁マーク２０を確実に読み取ることができる。
【００４５】
（実施例１の効果）
以上のように実施例１の通帳記帳機によれば、制御部に、最終行まで印字した頁の通帳先端部を黒く塗りつぶして塗潰し部を設ける機能を追加した構成としたので、挿入頁の中紙が内側にずれた場合でも、挿入頁の先端位置を確実に検出することができ、頁マークを正しく読み取ることができる。
【実施例２】
【００４６】
（構成）
実施例２の通帳記帳機の構成は、以下に述べる制御部のほかは図１に示した実施例１の通帳記帳機と同様であるので、簡略化のためにその詳細な説明は省略する。なお、本実施例では、便宜上、頁マーク２０が縦バーコードの場合を例として以下説明する。
【００４７】
ところで、実施例１の通帳記帳機では、最終行まで印字が完了しこれ以上印字ができない頁の通帳先端に黒ベタ印字をして塗潰し部２１を設けるようにしたが、以降の通帳取引において、顧客が誤ってこの塗潰し部２１が設けられた頁を挿入した場合、ラインセンサ８の読み取り結果が黒から白へ変化する位置を通帳先端として検出するので、塗潰し部２１が設けられた分だけ検出位置が後方にずれて白黒判定バッファ１５ｂに白黒判定結果が格納されてしまい、図８を用いて後述する解析先頭アドレス２６以降に頁マークの白黒判定結果が格納されない。その結果、頁マークを正常に読み取れなくなってしまうという不具合があった。
【００４８】
このような不具合を解消するために、実施例２の通帳記帳機では、頁マーク２０が縦バーコードの場合において、制御部２に、塗潰し部２１が設けられていないものとして頁マーク２０を読み取るとともに、塗潰し部２１が設けられているものとして頁マーク２０を読み取り、いずれか正常に読取れた方を当該頁とする機能を追加した構成としている。
【００４９】
（動作）
以上の構成により実施例２の通帳記帳機は以下のように動作する。この動作を図７および図８を用いて以下詳細に説明する。
【００５０】
まず、顧客が挿入した頁の頁マーク２０をラインセンサ８で読み取り、第１の頁マーク読取処理として当該頁に塗潰し部２１が設けられていないものとして頁マーク２０や印字済み行を読み取るとともに、第２の頁マーク読取処理として当該頁に塗潰し部２１が設けられているものとして頁マーク２０や印字済み行の読取り処理を行い、第１の頁マーク読取処理と第２の頁マーク読取処理の結果、いずれか正常に読取りが行われた結果を当該頁の読取結果とする。
【００５１】
例えば、図７（ａ）に示すように、塗潰し部２１が設けられていない場合の縦バーコードの上端までの距離Ｌ４を５ｍｍとし塗潰し部２１の搬送方向幅を３ｍｍとすると、塗潰し部２１が設けられている場合は、図７（ｂ）のように、塗潰し部下端２１ａから縦バーコードの上端までの距離Ｌ４は２ｍｍとなる。
【００５２】
この図７（ａ）、図７（ｂ）の頁を読み取ると、塗潰し部２１が設けられていない図７（ａ）の場合は、通帳先端２２が先端として正常に検出され頁マーク等が読み取られ、塗潰し部２１が設けられている図７（ｂ）場合は、塗潰し部下端２１ａが通帳の先端として検出され、頁マーク等が読み取られることになる。
【００５３】
その結果、頁マークである縦バーコードの搬送方向の長さも３ｍｍとすると、白黒判定バッファ１５ｂには、それぞれ図８（ａ）および図８（ｂ）のように格納され、同じ頁マーク２０であっても、塗潰し部２１の有無により格納アドレスがずれてしまうことになる。
【００５４】
そして、頁マーク２０である縦バーコードの解析は、解析先頭アドレス２６、すなわち、００５０Ｈから行われるので、図８（ａ）の場合は、正常に読み取れるが、図８（ｂ）の場合は、格納アドレスがずれているので、頁マークを読み取ることができない。
【００５５】
このように、塗潰し部２１が有る頁を塗潰し部２１が無いものとして解析した場合、或いは塗潰し部２１が無い頁を塗潰し部２１が有るものとして解析した場合、すなわち、仮定した塗潰し部２１の有無が正しい場合以外は、頁マーク２０の位置がずれ、正常に読み取ることはできない。
【００５６】
したがって、塗潰し部２１が設けられていないと仮定した頁マーク２０の読取り処理と、塗潰し部２１が設けられていると仮定した頁マーク２０の読取り処理とを行い、何れかの処理で読み取れた方を頁マーク２０の値とすることにより、正しい頁を読み取ることができる。
【００５７】
そして、読み取れた頁マーク２０の値が印字終了頁と異なる場合は、誤った頁が挿入されたと判定し、「正しい頁を開いて、再度通帳の挿入をお願いいたします」などの画面表示とともに、顧客へ通帳を返却する。一方、読み取れた頁マーク２０の値が印字終了頁ではなく印字すべき印字最終頁のときは、以降の取引を継続し記帳処理等を行う。
【００５８】
ところで、本実施例では、頁マーク２０を縦バーコードとした例により説明したが、頁マーク２０が横バーコードのときは、バーの搬送方向位置が必ず一定でないため、誤読が発生し、いずれの場合も頁マーク２０を読み取ることができしてしまうことがある。
【００５９】
そして、通帳に存在する誤った頁として読み取ってしまった場合は、誤った頁に印字してしまったり、普通科目の頁を挿入しこれを定期科目に存在する頁と誤読した場合では、普通科目頁に定期明細を印字してしまうという不具合が発生する。横バーコードの場合のこの不具合は、以下に述べる実施例３の通帳記帳機とすることにより解消される。
【００６０】
（実施例２の効果）
以上のように実施例２の通帳記帳機によれば、制御部に、頁マークが縦バーコードの場合において、塗潰し部が設けられていないものして頁マークを読み取るとともに、塗潰し部が設けられているものとして頁マークを読み取り、いずれか正常に読取れた方を当該頁とする機能を追加した構成としたので、顧客が誤って最終行まで印字した頁を開いて挿入した場合でも頁マークを正しく解析することができ、顧客に通帳を返却して正しい頁を開いて再度挿入するようにガイドすることができる。
【実施例３】
【００６１】
（構成）
実施例３の通帳記帳機の構成は、以下に述べる制御部のほかは図１に示した実施例１の通帳記帳機と同様であるので、簡略化のためにその詳細な説明は省略する。
【００６２】
前述の実施例２の通帳記帳機では、頁マーク２０が横バーコードのときは、基準とするバーが必ず存在するとは限らず、いずれの結果も正常に読み取られて誤読してしまうというおそれがあった。
【００６３】
実施例３の通帳記帳機では、このような不具合を解消するために、制御部２に、印字終了頁に塗潰し部２１とともに図９に示したような印字終了マーク３０を印字ヘッド９ａにより印字する機能、印字終了マーク３０を読み取って印字終了頁かどうかを判定し当該判定結果に基づいて頁マーク２０を解析する機能を追加した構成としている。
【００６４】
（動作）
以上の構成により実施例３の通帳記帳機は以下のように動作する。この動作を、図９を用いて以下詳細に説明する。
【００６５】
実施例３の通帳記帳機では、未記帳明細を印字し、挿入された頁の最終行まで印字が完了したときに、図９に示したように、通帳先端部に黒ベタ印字により塗潰し部２１を設けるとともに黒ベタ印字により印字終了マーク３０を印字する。
【００６６】
そして、未記帳明細を印字するときは、挿入された頁に印字終了マーク３０があるかどうかを検出する。なお、印字終了マーク３０は、塗潰し部２１を設けた印字終了頁の場合のみ印字されていることになるので、印字終了マーク３０の有無の検出範囲は、常に塗潰し部２１があるものとして、当該塗潰し部下端２１ａを基準として検出すればよい。
【００６７】
そして、印字終了マーク３０が検出されない場合は、記帳できる行がまだ残っている頁であり、塗潰し部２１は設けられていないので、前述の図７（ａ）のようになっているものとして頁マーク２０を読取って当該頁が印字すべき印字最終頁であることを確認し、当該頁が印字最終頁であったときは未記帳明細の印字を行い、印字を終了した後、顧客に通帳１０を返却する。
【００６８】
一方、頁マーク２０を読取って当該頁が印字すべき印字最終頁でないとき、或いは挿入された頁に印字終了マーク３０が検出されたときは、当該頁は印字最終頁でありこれ以上印字できない頁を開いて挿入されたと判定し、「正しい頁を開いて、再度通帳の挿入をお願いいたします」などの画面表示とともに、顧客へ通帳を返却する。
【００６９】
（実施例３の効果）
以上のように実施例３の通帳記帳機では、制御部に、印字終了頁に印字ヘッドにより塗潰し部とともに印字終了マークを印字する機能、印字終了マークを読み取って印字終了頁かどうかを判定し当該判定結果に基づいて頁マークを解析する機能を追加した構成としたので、頁マークが横バーコードの場合であっても、頁マークを確実に読み取ることができる。
【実施例４】
【００７０】
（構成）
実施例４の通帳記帳機の構成は図１に示した実施例１ないし実施例３の通帳記帳機と同様であるので、簡略化のためにその詳細な説明は省略するが、実施例４の通帳記帳機では、通帳の構成が異なり、図１０に示したように塗潰し部２１を通帳１０のすべての頁に印刷した構成となっている。
【００７１】
（動作）
以上の構成により実施例４の通帳記帳機は以下のように動作する。この動作を、図１０を用いて以下詳細に説明する。
【００７２】
実施例４の通帳記帳機では、塗潰し部２１がすべての頁に印刷されているので、従来技術にて説明した図１７のように中紙がずれた場合でも、前のすべての頁に塗潰し部２１が設けられているので、ラインセンサ８により通帳先端２２から当該頁の塗潰し部下端２１ａまで「黒」として読み取られ、「黒」から「白」に変化する塗潰し部下端２１ａを基準として頁マーク２０を読み取るようにすればよい。
【００７３】
また、塗潰し部２１が設けられた印字終了頁を開いて挿入した場合でも、頁マーク２０が横バーコードの場合でも、常に、塗潰し部下端２１ａを基準として頁マーク２０を読み取るようにすればよいので、実施例２の通帳処理装置の不具合についても解消することができる。
【００７４】
そして、未記帳明細を印字するときに、塗潰し部下端２１ａを基準として頁マーク２０を読取って当該頁が印字すべき印字最終頁であるときは未記帳明細の印字を行い、印字を終了した後、顧客に通帳を返却する。
【００７５】
一方、頁マーク２０を読取って当該頁が印字すべき印字最終頁ではないときは、当該頁は印字終了頁でありこれ以上印字できない頁を開いて挿入されたか、誤って未使用の頁を開いて挿入したと判定し、「正しい頁を開いて、再度通帳の挿入をお願いいたします」などの画面表示とともに、顧客へ通帳を返却する
【００７６】
なお、以上の実施例４の通帳記帳機の説明では、塗潰し部２１をあらかじめ印刷して置くように説明したが、通帳が最初に挿入されたときに、塗潰し部２１を全頁に印字ヘッド９ａによりベタ印字するようにしてもよい。
【００７７】
（実施例４の効果）
以上のように実施例４の通帳記帳機では、通帳を、通帳のすべての頁の通帳先端に塗潰し部を設けるようにしたので、実施例３と同様、頁マークが横バーコードの場合であっても、また、印字終了頁を開いて挿入した場合であっても、頁マークを確実に読み取ることができる。
【産業上の利用可能性】
【００７８】
以上述べたように、本発明は、金融機関等で使用される通帳の頁マークを読み取って記帳する通帳記帳機を備えた自動取引装置に広く用いることができる。
【符号の説明】
【００７９】
１    通帳記帳機
２、４２    制御部
３    挿入口
５    ＭＳリードライト部
６    磁気ヘッド
７    頁行リード部
８    ラインセンサ
９    印字部
９ａ  印字ヘッド
１０  通帳
１５  記憶部
１５ｂ  白黒判定バッファ
２０  頁マーク
２１  塗潰し部
２１ａ  塗潰し部下端
２２  通帳先端
２３  挿入頁先端
３０  印字終了マーク
１００  上位制御部
【図１】
2011148153.tif 000003
【図２】
2011148153.tif 000004
【図３】
2011148153.tif 000005
【図４】
2011148153.tif 000006
【図５】
2011148153.tif 000007
【図６】
2011148153.tif 000008
【図７】
2011148153.tif 000009
【図８】
2011148153.tif 000010
【図９】
2011148153.tif 000011
【図１０】
2011148153.tif 000012
【図１１】
2011148153.tif 000013
【図１２】
2011148153.tif 000014
【図１３】
2011148153.tif 000015
【図１４】
2011148153.tif 000016
【図１５】
2011148153.tif 000017
【図１６】
2011148153.tif 000018
【図１７】
2011148153.tif 000019